(57)【要約】【課題】  下方に設けられる水栓金具９等が手暗がりになることなく、良好に壁面から浮かせた状態に鏡を設置できる鏡固定ケースを提供する。【解決手段】  浴室用照明５の下方の壁面４に設置されて、前面に鏡８を壁面４から浮かせた状態に設置できる鏡固定ケース６において、この鏡固定ケース６は上面部材６ａ，側面部材，下面部材６ｃを有し、鏡固定ケース６の上面部材６ａ及び下面部材６ｃを透明等の素材で光透過率を高く設定し、鏡固定ケース６の側面部材は乳白色等の素材で光透過率を低く設定して構成する。【選択図】  図２
2006102071.tif 000002
【特許請求の範囲】
【請求項１】
浴室用照明の下方の壁面に設置されて、前面に鏡を壁面から浮かせた状態に設置できる浴室用鏡固定ケースにおいて、該鏡固定ケースは上面部材，側面部材，底面部材を有し、少なくとも上面部材は、側面部材よりも光透過率が高く設定されていることを特徴とする浴室用鏡固定ケース。
【請求項２】
浴室用照明の下方の壁面に設置されて、前面に鏡を壁面から浮かせた状態に設置できる浴室用鏡固定ケースにおいて、該鏡固定ケースは上面部材，側面部材，底面部材を有し、上下面部材の少なくとも一部が側面部材より光透過率の高い部材で構成されていることを特徴とする浴室用鏡固定ケース。
【発明の詳細な説明】
【技術分野】
【０００１】
本発明は、浴室用鏡を壁面から浮かせた状態に設置できる浴室用鏡固定ケースに関するものである。
【背景技術】
【０００２】
従来、特許文献１に開示されているように、鏡を浴室の壁面から浮かせて取り付け、鏡の裏の空間内に水栓や照明装置等を収納した構成のものが存在するが、これは鏡の四周を照らす間接照明であった。
【特許文献１】特開２００４−３３３３６号公報
【発明の開示】
【発明が解決しようとする課題】
【０００３】
上記従来のものでは、鏡の裏側に照明装置を収納しているものであるが、浴室の壁面に通常設けられている照明装置の下方に、壁面から浮かせた状態で鏡を設置するような場合には、鏡の下方には照明の光が到達せず、鏡の下方に水栓金具があるような場合には、この水栓金具が視認しにくくなり、使い勝手が悪くなるという問題点があった。
【課題を解決するための手段】
【０００４】
本発明は上記従来の問題点に鑑み案出したものであって、通常の浴室用照明の下方に壁面から浮かせた状態で良好に鏡を設置することができ、また下方の水栓部分等が手暗がりになることなく、使用勝手が良好化する浴室用鏡固定ケースを提供するものであり、その請求項１は、浴室用照明の下方の壁面に設置されて、前面に鏡を壁面から浮かせた状態に設置できる浴室用鏡固定ケースにおいて、該鏡固定ケースは上面部材，側面部材，底面部材を有し、少なくとも上面部材は、側面部材よりも光透過率が高く設定されていることである。
【０００５】
また請求項２は、浴室用照明の下方の壁面に設置されて、前面に鏡を壁面から浮かせた状態に設置できる浴室用鏡固定ケースにおいて、該鏡固定ケースは上面部材，側面部材，底面部材を有し、上下面部材の少なくとも一部が側面部材より光透過率の高い部材で構成されていることである。
【発明の効果】
【０００６】
本発明は、浴室用照明の下方の壁面に設置されて、前面に鏡を壁面から浮かせた状態に設置できる浴室用鏡固定ケースにおいて、鏡固定ケースは上面部材，側面部材，底面部材を有し、少なくとも上面部材は、側面部材よりも光透過率が高く設定されていることにより、鏡を壁面から浮かせた状態に意匠性を向上させて設置することができ、また上方の浴室用照明の光を上面部から下方へ通して、鏡固定ケースの下部の手暗がり部分をなくすことができるものとなる。
【０００７】
また、浴室用照明の下方の壁面に設置されて、前面に鏡を壁面から浮かせた状態に設置できる浴室用鏡固定ケースにおいて、鏡固定ケースは上面部材，側面部材，底面部材を有し、上下面部材の少なくとも一部が側面部材より光透過率の高い部材で構成されていることにより、浴室用照明からの光を、鏡固定ケースの上面側から、更に鏡固定ケースの下面側を通して鏡固定ケースの下方に導き、鏡固定ケースの下方に設置される水栓金具等に良好に光を当てて、手暗がりとなることを防ぐことができ、水栓金具等の使用勝手が良好なものとなる。
【実施例】
【０００８】
以下、本発明の実施例を図面に基づいて説明する。
図１は、浴室内の斜視構成図である。
浴室１内に設置された浴槽２の側方の洗い場３側の壁面４には、上方に浴室用の照明５が設置されており、この照明５の下方に鏡固定ケース６が壁面４に固設されて、この鏡固定ケース６の前面側には、外周に枠７を形成した鏡８が壁面４から浮き上がった状態に設置されている。
また、鏡固定ケース６の下方には、水栓９が設置されており、また、その下方にはカウンター１０が横設されている。
【０００９】
図２の縦断面拡大構成図で示すように、鏡固定ケース６は、壁面４から鏡８を１０ｃｍ程度浮かせた状態に設置できるように長方形の箱状に形成されており、鏡固定ケース６の上面部材６ａ及び下面部材６ｃは、例えば透明な素材で形成されており、鏡固定ケース６の左右の側面部材６ｂ，６ｂは、例えば乳白色に形成されている。
【００１０】
即ち、鏡固定ケース６の上面部材６ａ及び下面部材６ｃは、側面部材６ｂ，６ｂよりも光透過率が高くなるように設定されている。このような構成では、上方の照明５からの光は、鏡固定ケース６の上面部材６ａを通り、鏡固定ケース６内に導かれ、更に下面部材６ｃから下方に照射されるため、下方の水栓９が手暗がりになることなく良好に照らされて、水栓９が明るく視認されて良好に操作することができ、水栓９の使用勝手が良好なものとなる。
また、鏡８は壁面４から浮き上がった状態で洗い場３側に突出しているため、洗い場３側から鏡８に顔を近づけて、良好に鏡を使用することができるものとなる。
【００１１】
なお、図３及び図４に示すように、立った状態でも座った状態でも視界に入りにくい鏡固定ケース６の上面部材６ａ及び下面部材６ｃは、光透過率が高く設定されているが、側面部材６ｂは乳白色等で光透過率が低く設定されているため、側面側から鏡固定ケース６の内部が見えにくく、内部の金具等が見えてしまうことがなく、意匠性に優れたものとなる。
【００１２】
なお、図５は、内部の金具等を示した取付状態の具体例を示す分解斜視図である。
即ち、図５に示すように、壁面４には予め鏡支持金具１２，１２，１２及び水栓支持金具１３，１３を固設させておき、これらの支持金具１２，１３に対して前面側から鏡固定ケース６を壁面４に取り付け、鏡固定ケース６の下面部材６ｃには、直接水栓金具９を取り付けることもでき、下面部材６ｃから水栓金具９のハンドル９ａ，９ａ及び吐水口９ｂのみが下方へ突出している状態にしておくことができる。
【００１３】
また更に、鏡固定ケース６の上下高さを調整するための部材である上部ケース１１を上方に設置する場合もある。このように設置した鏡固定ケース６及び上部ケース１１の前面に、外周に枠７を備えた鏡８を固定して、鏡８を壁面４から浮き上がった状態に設置することができるものである。
なお、上部ケース１１においても、上面部及び下面部が透明等で光透過率が高く設定されており、上部ケース１１の左右の側面部は乳白色等で光透過率が低く設定されている。
【００１４】
なお、図６に分解斜視図で示すような構成部材を用いて鏡８を設置することもできるものであり、図６では、鏡固定ケース６の下面部が、固定状の乳白色の固定下面部材６ｃと、この固定下面部材６ｃに対し着脱できる透明な着脱下面部材６ｄで構成されており、固定下面部材６ｃと着脱下面部材６ｄに水栓金具９を取り付けて、水栓金具９の吐水口９ｂを下方へ突出させて設置できるものであり、着脱下面部材６ｄは、例えば透明な光透過率が高い部材で構成されていることにより、この着脱下面部材６ｄを介し下方へ照明５からの光を照射させることができるものである。
【００１５】
なお、図６では、鏡固定ケース６の上面は、上面開口Ｋとなっており、この上面開口Ｋ内に上部ケース１１を着脱可能に取り付けできるように構成されており、上部ケース１１の上面は開放された上面開口１１ａとなっており、左右側面は、例えば乳白色の透過率の低い素材で構成されている。また更に、上部ケース１１の上面開口１１ａには着脱可能に、例えば半透明の上面部材６ａを取り付けできるように構成されており、上方の照明５からの光を上面部材６ａから上部ケース１１内を通して、鏡固定ケース６内に導き、更に着脱下面部材６ｄから下方へ導くことができるように構成されている。
なお、現場によっては、上部ケース１１を省略して、鏡固定ケース６の上面開口Ｋに直接上面部材６ａを取り付けて、上下高さを低くする場合もある。
【００１６】
なお、本例では、鏡固定ケース６及び鏡８は縦長の長方形状に形成されたものを例示しているが、例えば図７に示すように、鏡固定ケース６及び鏡８を円形または楕円形に構成したものであっても良く、このような形状においても、鏡固定ケース６の上面部材６ａ及び下面部材６ｃの少なくとも一部は、光透過率の高い透明な部材で構成しておくことができ、左右の側面は、光透過率の低い、例えば乳白色の素材で形成させておき、浴室照明５からの光を上面部材６ａから鏡固定ケース６内に導き、更に下面部材６ｃを通して下方に照射できるように構成しておくことができ、側面からは内部が見えないようにして意匠性を高めることができるものである。
【図面の簡単な説明】
【００１７】
【図１】浴室内の斜視構成図である。
【図２】図１の縦断面拡大構成図である。
【図３】立った状態で鏡固定ケースの上端が視界に入りにくいことを示す説明図である。
【図４】座った状態で鏡固定ケースの下部が視界に入りにくいことを示す説明図である。
【図５】壁面に対する鏡固定ケースと鏡の取付構造の具体例を示す分解斜視図である。
【図６】更に異なる取付構造を示す分解斜視図である。
【図７】円形または楕円形状の鏡固定ケースと鏡の分解斜視図である。
【符号の説明】
【００１８】
１  浴室
３  洗い場
４  壁面
５  浴室照明
６  鏡固定ケース
６ａ  上面部材
６ｂ  側面部材
６ｃ  下面部材（固定下面部材）
６ｄ  着脱下面部材
７  枠
８  鏡
９  水栓金具
９ｂ  吐水口
１１  上部ケース
【図１】
2006102071.tif 000003
【図２】
2006102071.tif 000004
【図３】
2006102071.tif 000005
【図４】
2006102071.tif 000006
【図５】
2006102071.tif 000007
【図６】
2006102071.tif 000008
【図７】
2006102071.tif 000009